(57)【要約】【課題】  人の手でシャンプーを行うのが通常であるが時間がかかり人により強弱の差が出る。  流水を使うので水量も多く使用する点を解決する目的でミストを使用した自動洗髪装置を提供する。【解決手段】  椅子に座った状態で、前に操作台、後ろのカプセル内側に施術装置を配し、携帯、スマホ、パソコン等通信機器にて事前予約も可能なミストを使用した自動洗髪装置。【選択図】図１
2017086829.tif 000002
【特許請求の範囲】
【請求項１】
床台と床台の一端側に立設される操作台及び操作表示画面こちら側を前方とする床台の他端側に立設する操作表示画面と対面する形で座っている人の後背〜左右側面を覆う様に形成されるカバー及び頭部カバーと頭部カバーの内側に設置される機械装置とカバーの前面足元に設置される椅子とで構成される。左側前面に操作表示画面を設けミスト温度設定、ミスト噴出口が頭皮に当たる強さの設定を入力する。
洗髪される人は、椅子に座り操作表示画面で指示を入力し実行する。
頭部カバーの内側には頭部の各ブロックを移動できるように誘導レールが配置され各部を担当する誘導母体が移動しながら施術を行う。
誘導レールは、前部と首廻りを骨組で支えられている。
頭部の各ブロックは、両耳後ろの線を境に前部と後部に分け前部を５ブロックに分割し中央前頭部より頭頂部までを前頭ブロックとし右斜め前部より耳後ろまでを右頭斜めブロックとし右側頭部側面前から耳後ろまでを右側頭側面ブロックとし左斜め前部より耳後ろまでを左頭斜め上ブロックとし左側頭部側面前から耳後ろまでを左側頭側面ブロックとする。
後面も５ブロックに分割し中央頭頂部より下へ襟足までを後頭中央ブロックとし右側を２ブロックに分割し頭頂部より下へ襟足までを後頭中央右脇ブロックとしさらに耳寄りの部分を頭頂部より下へ後頭右耳後ろブロックとし左側も同様に２ブロックに分割して後頭中央左脇ブロックと後頭左耳後ろブロックに頭部全体を１０ブロックに分割する。
前頭ブロックは、前頭誘導レールを使い前頭誘導母体が担当し右頭斜め上ブロックは、右頭斜め上誘導レールを使い右頭斜め上誘導母体が担当し右側頭横ブロックは右側頭横誘導レールを使い右側頭横誘導母体が担当し左頭斜め上ブロックは、左頭斜め上誘導レールを使い左頭斜め上誘導母体が担当し左側頭横ブロックは、左側頭横誘導レールを使い左側頭横誘導母体が担当し後頭中央ブロックは、後頭中央誘導レールを使い後頭中央誘導母体が担当し後頭中央右脇ブロックは、後頭中央右脇誘導レールを使い後頭中央右脇誘導母体が担当し後頭右耳後ろブロックは、後頭右耳後ろ誘導レールを使い後頭右耳後ろ誘導母体が担当し後頭中央左脇ブロックは、後頭中央左脇誘導レールを使い後頭中央左脇誘導母体が担当し後頭左耳後ろブロックは、後頭左耳後ろ誘導レールを使い後頭左耳後ろ誘導母体が担当する。
誘導母体は、箱型のボデーを有し下部に上から順に、支柱１，支柱２、を有し支柱２の先端に櫛状のミスト噴出口と吸引口を有している。
誘導母体は、誘導レールを伝い指令信号に従い移動出来る様に四輪を有し二輪部分のみ移動モーターと歯車と車輪と繋がり車輪を用い前後に移動できる。
支柱の角度を変更できる目的で上部に角度調節モーター１を有し約１５０°の範囲で角度を調節し頭皮との適切な角度を作る。
支柱１、支柱２は、上下にスプリングストッパーを有し支柱２はスプリングにより、上部に引っ張られて距離センサーで頭皮との間隔を測定し支柱１内側に長さ調節ホースより圧縮空気を注入し支柱２を押し下げてミスト噴出口が頭皮に適切に接触出来る様に間隔を作り圧力調整弁で空気を抜いて長さを調節する。
支柱２の下部に角度調節モーター２先に角度調節レバーを有しミストホースを介し櫛状のミスト噴出口下部に吸引口を有し余分な水分を吸引する。
ミスト噴出口は、直接頭皮に接触する部分でミストホースからミストを噴出しながら移動し頭皮にミストを吹きつけながら洗髪する。
ミスト噴出口は、ミストホースと繋がりミストポンプで圧力をかけミストボンベに圧力を貯めミスト弁を開くことでミストを噴出する。
ミストホースにはミスト弁とミストボンベの間に水ボトル、水ボトル弁、シャンプーボトル、シャンプーボトル弁、リンスボトル、リンスボトル弁、を有し必要に応じ使い分ける。
吸引口は、余分なミストが水滴となり垂れるので吸引口、吸引ホース、吸引ポンプで吸い取る。
ミスト噴出口先端は、丸みを帯びていて頭皮に損傷を与えない形状を有し吸引口も同様に丸みを帯びて頭皮に損傷を与えない形状を有し頭皮に接触し頭皮マッサージ効果で血液の循環を促進効果もある。
ミスト噴出口の根元部分は、ミスト噴出口を頭皮に接触させる目的で角度調節レバーが有り角度調節モーター２に繋がって頭皮との適切な角度を信号により保ち一定の圧力を頭皮に与える。
【発明の詳細な説明】
【技術分野】
【０００１】  本発明は、ミストを使用し自動で洗髪を行う装置に関するものである。
【背景技術】
【０００２】  従来人の手で頭髪を流水で洗髪するものであるが使用する水の量が多く
人の手で行う為力の入れ具合にムラが生じる事も多く頭皮を傷つける場合も多々ある。
蛇口あたりに頭をかがめるか、後ろ向きで寝そべり洗面台に頭を向ける。
シャワーから流水を出し温度を確かめ頭髪をすすぐ、シャンプーを着け、頭髪をもみ洗い、再び流水で流し再びシャンプーの塗布、両手で頭皮をもみながらこすり洗う、流水で流し、リンス剤を塗布、流水で流す、温水の温度調節、シャンプーの塗布、リンスの塗布等、これら全ての作業を人の感覚で行わないといけないので、熱すぎる場合もあり、温すぎる場合もありばらつきもある。
【先行文献】
【特許文献】
【０００３】
【発明の概要】
【発明が解決しようとする課題】
【０００４】  機械装置によって頭皮に当たる圧力を一定にする事でむらが無くなりミストを使用する事で使用する水の量を大幅に軽減できる。
又椅子に腰掛けたままの状態でシャンプー施術が可能、人への負担も軽減できる手荒れも軽減できる。
以上の、問題を解決するものである。
【課題を解決するための手段】
【０００５】  床台と床台の一端側に立設される操作台及び操作表示画面こちら側を前方とする床台の他端側に立設する操作表示画面と対面する形で座っている人の後背〜左右側面を覆う様に形成されるカバー及び頭部カバーと頭部カバーの内側に設置される機械装置とカバーの前面足元に設置される椅子とで構成される。左側前面に操作表示画面を設けミスト温度設定、ミスト噴出口が頭皮に当たる強さの設定を入力する。
洗髪される人は、椅子に座り操作表示画面で指示を入力し実行する。
頭部カバーの内側には頭部の各ブロックを移動できるように誘導レールが配置され各部を担当する誘導母体が移動しながら施術を行う。
誘導レールは、前部と首廻りを骨組で支えられている。
頭部の各ブロックは、両耳後ろの線を境に前部と後部に分け前部を５ブロックに分割し中央前頭部より頭頂部までを前頭ブロックとし右斜め前部より耳後ろまでを右頭斜めブロックとし右側頭部側面前から耳後ろまでを右側頭側面ブロックとし左斜め前部より耳後ろまでを左頭斜め上ブロックとし左側頭部側面前から耳後ろまでを左側頭側面ブロックとする。
後面も５ブロックに分割し中央頭頂部より下へ襟足までを後頭中央ブロックとし右側を２ブロックに分割し頭頂部より下へ襟足までを後頭中央右脇ブロックとしさらに耳寄りの部分を頭頂部より下へ後頭右耳後ろブロックとし左側も同様に２ブロックに分割して後頭中央左脇ブロックと後頭左耳後ろブロックに頭部全体を１０ブロックに分割する。
前頭ブロックは、前頭誘導レールを使い前頭誘導母体が担当し右頭斜め上ブロックは、右頭斜め上誘導レールを使い右頭斜め上誘導母体が担当し右側頭横ブロックは右側頭横誘導レールを使い右側頭横誘導母体が担当し左頭斜め上ブロックは、左頭斜め上誘導レールを使い左頭斜め上誘導母体が担当し左側頭横ブロックは、左側頭横誘導レールを使い左側頭横誘導母体が担当し後頭中央ブロックは、後頭中央誘導レールを使い後頭中央誘導母体が担当し後頭中央右脇ブロックは、後頭中央右脇誘導レールを使い後頭中央右脇誘導母体が担当し後頭右耳後ろブロックは、後頭右耳後ろ誘導レールを使い後頭右耳後ろ誘導母体が担当し後頭中央左脇ブロックは、後頭中央左脇誘導レールを使い後頭中央左脇誘導母体が担当し後頭左耳後ろブロックは、後頭左耳後ろ誘導レールを使い後頭左耳後ろ誘導母体が担当する。
誘導母体は、箱型のボデーを有し下部に上から順に、支柱１，支柱２、を有し支柱２の先端に櫛状のミスト噴出口と吸引口を有している。
誘導母体は、誘導レールを伝い指令信号に従い移動出来る様に四輪を有し二輪部分のみ移動モーターと歯車と車輪と繋がり車輪を用い前後に移動できる。
支柱の角度を変更できる目的で上部に角度調節モーター１を有し約１５０°の範囲で角度を調節し頭皮との適切な角度を作る。
支柱１、支柱２は、上下にスプリングストッパーを有し支柱２はスプリングにより、上部に引っ張られて距離センサーで頭皮との間隔を測定し支柱１内側に長さ調節ホースより圧縮空気を注入し支柱２を押し下げてミスト噴出口が頭皮に適切に接触出来る様に間隔を作り圧力調整弁で空気を抜いて長さを調節する。
支柱２の下部に角度調節モーター２先に角度調節レバーを有しミストホースを介し櫛状のミスト噴出口下部に吸引口を有し余分な水分を吸引する。
ミスト噴出口は、直接頭皮に接触する部分でミストホースからミストを噴出しながら移動し頭皮にミストを吹きつけながら洗髪する。
ミスト噴出口は、ミストホースと繋がりミストポンプで圧力をかけミストボンベに圧力を貯めミスト弁を開くことでミストを噴出する。
ミストホースにはミスト弁とミストボンベの間に水ボトル、水ボトル弁、シャンプーボトル、シャンプーボトル弁、リンスボトル、リンスボトル弁、を有し必要に応じ使い分ける。
吸引口は、余分なミストが水滴となり垂れるので吸引口、吸引ホース、吸引ポンプで吸い取る。
ミスト噴出口先端は、丸みを帯びていて頭皮に損傷を与えない形状を有し吸引口も同様に丸みを帯びて頭皮に損傷を与えない形状を有し頭皮に接触し頭皮マッサージ効果で血液の循環を促進効果もある。
ミスト噴出口の根元部分は、ミスト噴出口を頭皮に接触させる目的で角度調節レバーが有り角度調節モーター２に繋がって頭皮との適切な角度を信号により保ち一定の圧力を頭皮に与える。
【発明の効果】
【０００６】（一）  ミストを使用する事で水量を大幅に減少できる。
（二）  頭皮に対し圧力を一定に出来る。
（三）  短時間施術が可能。
（四）  椅子に座ったままの楽な状態で施術が可能。
【図面の簡単な説明】
【０００７】
【図１】  本発明の使用状態を示す外観斜視図
【図２】  本発明の一部である頭部カバー内部を見える様に示した透視拡大斜視図
【図３】  本発明の一部である誘導母体と支柱、ミスト出口を分かり易く示した斜視図
【図４】  本発明の一部であるミスト出口透視側面図
【図５】  本発明の一部であるミスト出口と吸引口の構造図
【図６】  本発明の一部であるミストホース及び吸引ホース等ホースに関係する周辺の相互関連を示したイメージ図
【図７】  本発明の一部であるミスト噴出口、及び吸引口を分かり易く示した斜視図
【図８】  本発明を使用する対象エリアを示すイメージ図
【図９】  本発明の実施における工程表
【発明を実施するための形態】
【０００８】  床台（５）と床台（５）の一端側に立役される操作台（２）及び操作表示画面（１）こちら側を前方とする床台の他端側に立役する操作表示画面（１）と対面する形で座っている人の後背〜左右側面を覆う様に形成されるカバー（４）及び頭部カバー（３）と頭部カバー（３）の内側に設置される機械装置とカバー（４）の前面足元に設置される椅子（６）とで構成される。左側前面に操作表示画面（１）を設けミスト温度設定、ミスト噴出口（２５）が頭皮にあたる強さの設定を入力する。
洗髪される人は、椅子に座り操作表示画面（１）で指示を入力し実行する。
頭部カバー（３）の内側には頭部の各ブロックを移動できるように誘導レール（７）が配置され各部を担当する誘導母体（８）が移動しながら施術を行う。
誘導レール（７）は、前部と首廻りを骨組（４２）で支えられている。
頭部の各ブロックは、両耳後ろの線を境に前部と後部に分け前部を５ブロックに分割し中央前頭部より頭頂部までを前頭ブロック（３０）とし右斜め前部より耳後ろまでを右頭斜めブロック（３１）とし右側頭部側面前から耳後ろまでを右側頭側面ブロック（３２）とし左斜め前部より耳後ろまでを左頭斜め上ブロック（３３）とし左側頭部側面前から耳後ろまでを左側頭側面ブロック（３４）とする。
後面も５ブロックに分割し中央頭頂部より下へ襟足までを後頭中央ブロック（３５）とし右側を２ブロックに分割し頭頂部より下へ襟足までを後頭中央右脇ブロック（３６）としさらに耳寄りの部分を頭頂部より下へ後頭右耳後ろブロック（３７）とし左側も同様に２ブロックに分割して後頭中央左脇ブロック（３８）と後頭左耳後ろブロック（３９）に頭部全体を１０ブロックに分割する。
前頭ブロック（３０）は、前頭誘導レール（７ａ）を使い前頭誘導母体（８ａ）が担当し右頭斜め上ブロック（３１）は、右頭斜め上誘導レール（７ｂ）を使い右頭斜め上誘導母体（８ｂ）が担当し右側頭横ブロック（３２）は右側頭横誘導レール（７ｃ）を使い右側頭横誘導母体（８ｃ）が担当し左頭斜め上ブロック（３３）は、左頭斜め上誘導レールを（７ｄ）使い左頭斜め上誘導母体（８ｄ）が担当し左側頭横ブロック（３４）は、左側頭横誘導レール（７ｅ）を使い左側頭横誘導母体（８ｅ）が担当し後頭中央ブロック（３５）は、後頭中央誘導レールを（７ｆ）使い後頭中央誘導母体（８ｆ）が担当し後頭中央右脇ブロック（３６）は、後頭中央右脇誘導レール（７ｇ）を使い後頭中央右脇誘導母体（８ｇ）が担当し後頭右耳後ろブロック（３７）は、後頭右耳後ろ誘導レール（７ｈ）を使い後頭右耳後ろ誘導母体（８ｈ）が担当し後頭中央左脇ブロック（３８）は、後頭中央左脇誘導レール（７ｉ）を使い後頭中央左脇誘導母体（８ｉ）が担当し後頭左耳後ろブロック（３９）は、後頭左耳後ろ誘導レール（７ｊ）を使い後頭左耳後ろ誘導母体（８ｊ）が担当する。
誘導母体（８）は、箱型のボデーを有し下部に上から順に、支柱１（２７），支柱２（２８）、を有し支柱２（２８）の先端に櫛状のミスト噴出口（２５）と吸引口（２４）を有している。
誘導母体（８）は、誘導レール（７）を伝い指令信号に従い移動出来る様に四輪を有し二輪部分のみ移動モーター（１７）と歯車（５０）と車輪（１８）と繋がり車輪を用い前後に移動できる。
支柱の角度を変更できる目的で上部に角度調節モーター１（１９）を有し約１５０°の範囲で角度を調節し頭皮との適切な角度を作る。
支柱１（２７）、支柱２（２８）は、上下にスプリングストッパー（２１，２２）を有し支柱２（２８）はスプリング（２９）により、上部に引っ張られて距離センサー（４４）で頭皮との間隔を測定し支柱１（２７）内側に長さ調節ホース（１５）より圧縮空気を注入し支柱２（２８）を押し下げてミスト噴出口（２５）が頭皮に適切に接触出来る様に間隔を作り圧力調整弁（４９）で空気を抜いて長さを調節する。
支柱２（２８）の下部に角度調節モーター２（２０）先に角度調節レバー（４５）を有しミストホース（９）を介し櫛状のミスト出口（２５）下部に吸引口（２４）を有し余分な水分を吸引する。
ミスト噴出口（２５）は、直接頭皮に接触する部分でミストホース（９）からミストを噴出しながら移動し頭皮にミストを吹きつけながら洗髪する。
ミスト出口（２５）は、ミストホース（９）と繋がりミストポンプ（１１）で圧力をかけミストボンベ（１０）に圧力を貯めミスト弁（２６）を開くことでミストを噴出する。
ミストホース（９）にはミスト弁（２６）とミストボンベ（１０）の間に水ボトル、（４１）水ボトル弁（４６）、シャンプーボトル（１２）、シャンプーボトル弁（４７）、リンスボトル（１３）、リンスボトル弁（４８）、を有し必要に応じ使い分ける。
吸引口（２４）は、余分なミストが水滴となり垂れるので吸引口（２４）、吸引ホース（１４）、吸引ポンプ（４３）で吸い取る。
ミスト噴出口（２５）先端は、丸みを帯びていて頭皮に損傷を与えない形状を有し吸引口も同様に丸みを帯びて頭皮に損傷を与えない形状を有し頭皮に接触し頭皮マッサージ効果で血液の循環を促進効果もある。
ミスト噴出口（２５）の根元部分は、ミスト噴出口（２５）を頭皮に接触させる目的で角度調節レバー（４５）が有り角度調節モーター２（２０）に繋がって頭皮との適切な角度を信号により保ち一定の圧力を頭皮に与える。
【符号の説明】
【０００９】１  操作表示画面，２  操作台，３  頭部カバー，４  カバー，５  床台，
６  椅子，７  誘導レール，８  誘導母体，７ａ  誘導レールａ，
８ａ  誘導母体ａ，７ｂ  誘導レールｂ，８ｂ  誘導母体ｂ，７ｃ  誘導レールｃ，
８ｃ  誘導母体ｃ，７ｄ  誘導レールｄ，８ｄ  誘導母体ｄ，７ｅ  誘導レールｅ，
８ｅ  誘導母体ｅ，７ｆ  誘導レールｆ，８ｆ  誘導母体ｆ，７ｇ  誘導レールｇ，
８ｇ  誘導母体ｇ，７ｈ  誘導レールｈ，８ｈ  誘導母体ｈ，７ｉ  誘導レールｉ，
８ｉ  誘導母体ｉ，７ｊ  誘導レールｊ，８ｊ  誘導母体ｊ，９  ミストホース，
１０  ミストボンベ，１１  ミストポンプ，１２  シャンプーボトル，
１３  リンスボトル，１４  吸水ホース，１５  長さ調節ホース，
１６  長さ調節圧力ポンプ，１７  移動モーター，１８  車輪，
１９  角度調節モーター１，２０  角度調節モーター２，
２１  スプリングストッパ１，２２  スプリングストッパ２，２４  吸引口，
２５  ミスト噴出口，２６  ミスト弁，２７  支柱１，２８  支柱２，
２９  スプリング，３０  前頭ブロック，３１  右頭斜め上ブロック，
３２  右側頭横ブロック，３３  左頭斜め上ブロック，３４  左側頭横ブロック，
３５  後頭中央ブロック，３６  後頭中央右脇ブロック，
３７  後頭右耳後ろブロック，３８  後頭中央左脇ブロック，
３９  後頭左耳後ろブロック，４１  水ボトル，４２  骨組み，
４３  吸水ポンプ，４４  距離測定センサー，４５  ミスト角度調節レバー，
４６  水ボトル弁，４７  シャンプーボトル弁，４８  リンスボトル弁，
４９  圧力調整弁，５０  歯車，
【図１】
2017086829.tif 000003
【図２】
2017086829.tif 000004
【図３】
2017086829.tif 000005
【図４】
2017086829.tif 000006
【図５】
2017086829.tif 000007
【図６】
2017086829.tif 000008
【図７】
2017086829.tif 000009
【図８】
2017086829.tif 000010
【図９】
2017086829.tif 000011